(57)【特許請求の範囲】
【請求項１】
内圧により膨脹して管路の本管（１）内面に密着し得る基部（１８）と枝管（２）内面に密着し得る枝部（１９）とよりなる、略Ｔ字状の柔軟な気密性の透明体よりなるバッグ（１７）と、当該バッグ（１７）の基部（１８）内に配置された紫外線ランプ（２２）と、前記基部（１８）内に配置されて前記紫外線ランプ（２２）を覆い、且つ前記枝部（１９）に対向する側が開放された断面略Ｕ字状をなし、全面に多数の小孔（２１）を穿設した反射板（２０）とを有し、前記バッグ（１７）内に圧力流体を送入する圧力流体送入口（１５）が設けられていることを特徴とする、管路の分岐部の補修装置
【請求項２】
一対の端板（８，８）を一体に連結してなる本体（７）に対して、当該本体（７）の軸方向と交差する方向に摺動可能に摺動部材（１１）を設け、当該摺動部材（１１）の先端に可動端板（１３）を設け、これらの本体（７）及び摺動部材（１１）を覆うように柔軟なゴム又は合成樹脂よりなるバッグ（１７）を設け、当該バッグ（１７）が内圧により膨脹して管路の本管（１）内面に密着し得る基部（１８）と枝管（２）内面に密着し得る枝部（１９）とよりなる略Ｔ字状をなし、前記基部（１８）の両端がそれぞれ前記端板（８，８）の外周に固定され、前記枝部（１９）の先端が前記可動端板（１３）の外周に固定されており、前記バッグ（１７）内に前記反射板（２０）を設け、当該反射板（２０）内に紫外線ランプ（２２）を配置し、一方の端板（８，８）に前記圧力流体送入口（１５）を設けたことを特徴とする、請求項１に記載の管路の分岐部の補修装置
【請求項３】
前記紫外線ランプ（２２）が、前記バッグ（１７）の基部（１８）の中心軸よりも枝部（１９）から離れた位置に設けられていることを特徴とする、請求項１又は２に記載の管路の分岐部の補修装置
【発明の詳細な説明】
【０００１】
【産業上の利用分野】
本発明は、主として下水道管などの地中に埋設された管路を補修するための装置に関するものであって、特に当該管路における分岐部の補修装置に関するものである。
【０００２】
【従来の技術】
従来から管路を補修するために、管路の内面に内張り材を貼付けて内張りすることが行われている。しかしながら特に末端に近い管路においては、その管路の途中で分岐していることが多く、その管路を内張り材で内張りすると分岐部が閉塞されて、枝管と本管との接続が失われる。
【０００３】
そのため従来分岐を有する管路においては、分岐部を含めてその本管に内張り材を貼付けて内張りした後、分岐部の内張り材に穿孔し、枝管を本管に通ぜしめることが行われている。
【０００４】
しかしながら特に下水道管などにおいては、分岐部において損傷が生じることが多く、前述のように本管に内張りを施してその分岐部の内張り材に穿孔しただけでは、その損傷部から地下水が浸入して下水に混入したり、また汚水が損傷部から漏出して地下水を汚染するのを避けることができない。
【０００５】
そこで特開平６−１５７３８号公報に記載されているように、管路の分岐部の形状に適合した形状の筒状基部と筒状枝部とよりなる略Ｔ字状の補修部材内に、その補修部材とほゞ同形の柔軟なバッグを挿入し、これを断面形状を縮小した状態で管路の分岐部に配置し、前記バッグ内に圧力流体を送入して補修部材を膨脹させ、筒状基部を拡張して管路の本管内面に適合させると共に、筒状枝部を枝管に嵌合して適合させることにより補修部材を管路の分岐部に適合せしめ、この状態で補修部材を硬化させる方法が知られている。
【０００６】
またこの方法において補修部材を硬化させるに当って、バッグの基部内に加熱流体を送入して補修部材を加熱し、硬化させるのが一般的であるが、この方法では温度管理が困難でありまた硬化に長時間を要するので、透明なバッグ内に設けられた紫外線ランプで補修部材に紫外線を照射し、当該補修部材を紫外線の作用で硬化させることも行われている。
【０００７】
【発明が解決しようとする課題】
しかしながらこの紫外線硬化による方法では、紫外線ランプがバッグの基部内に配置されるため、補修部材の筒状基部には十分な紫外線が照射されて硬化するが、筒状枝部は筒状基部から分岐して突出しているので、その内面まで十分に紫外線が照射されず、硬化しにくい。
【０００８】
本発明はかかる事情に鑑みなされたものであって、補修部材の筒状枝部内にまで十分に紫外線を到達せしめ、補修部材を全体に亙って確実に硬化させることのできる装置を提供することを目的とするものである。
【０００９】
【課題を解決する手段】
而して本発明の装置は、内圧により膨脹して管路の本管内面に密着し得る基部と枝管内面に密着し得る枝部とよりなる、略Ｔ字状の柔軟な気密性の透明体よりなるバッグと、当該バッグの基部内に配置された紫外線ランプと、前記基部内に配置されて前記紫外線ランプを覆い、且つ前記枝部に対向する側が開放された断面略Ｕ字状をなし、全面に多数の小孔を穿設した反射板とを有し、前記バッグ内に圧力流体を送入する圧力流体送入口が設けられていることを特徴とするものである。
【００１０】
本発明のさらに具体的な装置の発明は、一対の端板を一体に連結してなる本体に対して、当該本体の軸方向と交差する方向に摺動可能に摺動部材を設け、当該摺動部材の先端に可動端板を設け、これらの本体及び摺動部材を覆うように柔軟なゴム又は合成樹脂よりなるバッグを設け、当該バッグが内圧により膨脹して管路の本管内面に密着し得る基部と枝管内面に密着し得る枝部とよりなる略Ｔ字状をなし、前記基部の両端がそれぞれ前記端板の外周に固定され、前記枝部の先端が前記可動端板の外周に固定されており、前記バッグ内に前記反射板を設け、当該反射板内に紫外線ランプを配置し、一方の端板に前記圧力流体送入口を設けたことを特徴とするものである。
【００１１】
また本発明においては、前記紫外線ランプが、前記バッグの基部の中心軸よりも枝部から離れた位置に設けられているのが好ましい。
【００１２】
【実施例】
以下本発明の実施例を図面に従って説明する。図１及び図２は、本発明の補修装置の一実施例を示すものであって、１は管路の本管であり、２は当該本管１から分岐した枝管である。
【００１３】
３は管路の分岐部に位置せしめられた本発明の分岐部補修装置であって、この補修装置３には分岐部を補修する補修部材４が取付けられている。
【００１４】
補修部材４は前記管路の本管１に適合する柔軟な筒状基部５と、該筒状基部５の一部から分岐した前記枝管２に適合する筒状枝部６とよりなる略Ｔ字状をなしており、筒状基部５の両端及び筒状枝部６の端末は開いている。
【００１５】
この補修部材４としては、織布若しくは不織布又はそれらの積層物に紫外線硬化性樹脂液を含浸させたものや、紫外線硬化性樹脂液にガラス繊維などを分散させて増粘させた未硬化ＦＲＰシートなどを筒状に丸め、その両縁を重ね合わせた状態で筒状基部５及び筒状枝部６を形成することができる。また筒状の織布若しくは不織布又はそれらの積層物を所定の形状に縫合し、それに紫外線硬化性樹脂液を含浸させたものを使用することもできる。
【００１６】
また筒状基部５はそれ自体断面形状を大幅に縮小することができ、さらに内側から加圧して拡張し得るものであることが必要であって、その縮小から拡張に至る過程において筒状枝部６を枝管２に嵌合せしめることができる程度に変形し得るものであることが必要である。
【００１７】
しかしながら補修部材４の筒状枝部６の部分は必ずしも筒状基部５と同様に大きく縮小拡張し得る必要はなく、縮小した状態において管路の枝管２内に進入して嵌合することができ、且つ拡開することによって枝管２の内面に密着し得るものであればよい。
【００１８】
而して前記補修装置３において、７は本体であって、相対向して設けられた一対の端板８，８と、当該端板８，８を間隔をおいて一体に連結する連結杆９とよりなっている。
【００１９】
そして連結杆９には摺動ブロック１０が取付けられており、当該摺動ブロック１０に対して、本体７の軸方向に対して交差する方向に摺動自在に、摺動部材１１が取付けられている。
【００２０】
摺動部材１１は、前記摺動ブロック１０に対して摺動可能に支持された摺動杆１２の先端に、可動端板１３が取付けられており、摺動杆１２の後端には摺動ブロック１０に係止し得るストッパー１４が設けられている。
【００２１】
また前記端板８の一方には、圧力流体送入口１５が形成されており、ホース１６を介して外部のコンプレッサーなどの圧力流体供給手段（図示せず）に接続されている。
【００２２】
１７は、前記補修部材４の筒状基部５に適合する基部１８と、前記筒状枝部６に適合する枝部１９とを有する略Ｔ字状のバッグであって、柔軟なゴム又は合成樹脂よりなっている。
【００２３】
そしてこのバッグ１７は前記本体７の外側を覆うように被せられ、基部１８の両端は前記本体７の端板８の外周に嵌合され、また枝部１９の先端は前記可動端板１３の外周に嵌合されており、それぞれ気密に固定されている。これによってバッグ１７の開口部はそれぞれ端板８及び可動端板１３で閉塞され、バッグ１７内は気密に密閉されて、前記圧力流体送入口１５から圧力流体を送入することによりバッグ１７を膨ませることができるようになっている。
【００２４】
またこのバッグ１７内において、前記端板８，８間に反射板２０が設けられている。当該反射板２０は略Ｕ字状に湾曲せしめられており、その湾曲は前記バッグ１７の枝部１９に向って開放されている。また当該反射板２０は、金属などの光反射性材料よりなり、多数の小孔２１が穿設されている。
【００２５】
そして前記端板８の一方には紫外線ランプ２２が取付けられており、当該紫外線ランプ２２の発光部２３は前記反射板２０の内側の、バッグ１７の枝部１９に対向する位置に配置されている。紫外線ランプ２２の電源コード２４は、前記ホース１６と共に補修装置３の後方に延びている。
【００２６】
この紫外線ランプ２２の位置は、前記バッグ１７の基部１８の中心軸よりも枝部１９から離れた位置、即ち図面において下の位置に設けられている。
【００２７】
【作用】
次に上記実施例に基いて、本発明の作用を説明する。
【００２８】
本発明の補修装置３を使用する際には、当該補修装置３におけるバッグ１７の外側に補修部材４を被せ、バッグ１７の基部１８及び枝部１９をそれぞれ補修部材４の筒状基部５及び筒状枝部６に適合させる。そして圧力流体送入口１５からバッグ１７内の空気を排出してバッグ１７を縮小させると共に、摺動部材１１を本体７に対して後退させる。
【００２９】
この状態で補修装置３を管路の端末から本管１内に進入させ、分岐部に位置せしめる。この状態が図面において実線で示されている。このとき摺動部材１１は本体７に対して後退しているので、可動端板１３が本管１に引掛かることがなく、スムーズに本管１内を通過し得る。
【００３０】
而してこの状態で圧力流体送入口１５からバッグ１７内に圧力流体を送入すると、その流体圧力によってバッグ１７が膨むと共に、可動端板１３にも流体圧力が作用して摺動部材１１を本体７に対して摺動させて図中上動せしめ、可動端板１３は枝管２内に進入する。
【００３１】
このとき摺動部材１１は、本体７に対して図中上下方向には摺動自在であるが、その他の方向については本体７に対して固定的に保持されているので、可動端板１３が歪んで分岐部に引掛かったりすることがなく、確実に枝管２内に進入することができる。
【００３２】
そして可動端板１３が枝管２内に進入することにより当該可動端板１３に固定されたバッグ１７の枝部１９も、その外側に筒状枝部６を嵌合した状態で枝管２内に引込まれる。そしてバッグ１７が内部の流体圧力によって拡張され、図１に鎖線で示すように、基部１８が補修部材４の筒状基部５を管路の本管１に圧接し、また枝部１９が筒状枝部６を枝管２に圧接し、補修部材４を管路の本管１から枝管２にかけての内面に適合させるのである。
【００３３】
また実施例に示すように摺動杆１２の後端にストッパー１４を設けることにより、可動端板１３が過度に枝管２内に進入するのを阻止し、バッグ１７や補修部材４に不必要な歪みを与えるのを防止する。
【００３４】
この状態で紫外線ランプ２２を点灯すると、当該紫外線ランプ２２から放射された紫外線は透明なバッグ１７を透過し、補修部材４に照射されてこれに含浸された紫外線硬化性の樹脂液を硬化させる。
【００３５】
このとき当該紫外線ランプ２２から上方に照射される紫外線は、図２において矢印Ａで示されるように反射板２０の開放部から、補修部材４の筒状基部５の上部に照射される。
【００３６】
また筒状基部５の側部及び下部には、図２における矢印Ｂに示すように紫外線ランプ２２から反射板２０に穿設された小孔２１を通して照射される。また補修部材４の筒状枝部６には、紫外線ランプ２２から反射板２０の開放部を通して照射されると共に、矢印Ｃに示すように反射板２０における小孔２１以外の部分で反射した紫外線が照射される。
【００３７】
請求項３のように紫外線ランプ２２をバッグ１７の基部１８の中心軸より下方に設けることにより、補修部材４の全体に亙って均等に紫外線を照射することができる。すなわち、筒状基部５の下部及び側部は反射板２０の小孔２１により紫外線量を制限されているが、紫外線ランプ２２に近いために小孔２１を通して十分な紫外線が照射される。
【００３８】
また紫外線ランプ２２から遠い筒状基部５の上部及び筒状枝部６には、反射板２０の上部の開放部を通して紫外線ランプ２２から直接照射されると共に、反射面が凹面をなす反射板２０で反射された紫外線も照射される。従って補修部材４には全体に亙ってほゞ均一に紫外線が照射され、硬化性樹脂液は全体に亙って十分に硬化することができる。
【００３９】
然る後バッグ１７内の圧力流体を抜いてバッグ１７を縮小させることにより、摺動部材１１は図中下動してバッグ１７の枝部１９は筒状枝部６から剥離して抜け出し、また基部１８も筒状基部５から剥離して縮小し、補修装置３を管路から取出すことができる。
【００４０】
【発明の効果】
従って本発明によれば反射板２０により、紫外線ランプ２２から放射された紫外線が補修部材４の筒状基部５のみならず、筒状枝部６にも照射されるので、補修部材４の全体に亙って紫外線を照射し、当該紫外線により反応硬化性樹脂液を硬化させ、管路の分岐部を確実に補修することができる。
【００４１】
また請求項２によれば、バッグ１７内に流体圧力を作用させて補修部材４を拡張したときに、摺動部材１１の可動端板１３が枝管２内に進入することにより、バッグ１７の枝部１９及び補修部材４の筒状枝部６がスムーズに且つ確実に枝管２に嵌合し、この状態で筒状枝部６が拡張して枝管２に適合するので、管路の分岐部における本管１から枝管２にかけてを、その全周に亙って適切に補修することができる。
【００４２】
さらに請求項３によれば、紫外線ランプ２２をバッグ１７の基部１８の中心軸より下方に設けることにより、補修部材４の筒状基部５及び筒状枝部６の全体に亙ってほゞ均等に紫外線が照射され、補修部材４を全体に亙って均等に硬化させて補修することができる。
【００４３】
なお以上の説明においては、何等の処理を施さない管路における分岐部を補修する装置として説明したが、その管路自体が予め内張りされたものであっても差支えない。すなわち本管１が公知の方法で内張りされており、その分岐部に穿孔して枝管２に連通させた管路について、その分岐部を本発明の方法で補修することも可能である。
【図面の簡単な説明】
【図１】  本発明の補修装置の使用状態を示す中央縦断面図
【図２】  図１におけるII−II部の拡大断面図
【符号の説明】
１  本管
２  枝管
３  補修装置
４  補修部材
５  筒状基部
６  筒状枝部
７  本体
８  端板
１１  摺動部材
１３  可動端板
１４  ストッパー
１５  圧力流体送入口
１７  バッグ
１８  基部
１９  枝部
２０  反射板
２１  小孔
２２  紫外線ランプ
【図１】
0003672629.tif 000002
【図２】
0003672629.tif 000003